(57)【要約】【課題】洗濯ばさみは、一般に挟持片の開放に把持片に対し一定の力の付与が必要であり、指先の弱い高齢者又はリウマチ患者等は不都合を感じていた。本発明はそういう人達でも楽に使える洗濯ばさみを提供する。【解決手段】それぞれ挟持片と把持片を有する一対の挟持部材に弾性部材を取り付けるに当り、その取り付け位置を選択的に変更しうるようにしたことを特徴とする。【選択図】　　図６
2004081545.tif 000002
【特許請求の範囲】
【請求項１】
支点で互いに結合した一対の挟持部材が、それぞれ支点より一方向に延出する挟持片と他方向に延出する把持片とよりなり、上記挟持片が常時閉じる力を付勢する弾性部材を上記一対の挟持部材に取り付けるに際し、その取り付け位置を選択的に変更し得るようにしたことを特徴とする洗濯ばさみ。
【請求項２】
支点で互いに結合した一対の挟持部材が、それぞれ支点より一方向に延出する挟持片と他方向に延出する把持片とよりなり、上記一対の挟持部材の外面にそれぞれ複数個の穴を設け、弾性部材の両端部をそれぞれ上記複数個の穴のいずれかに嵌合させて、上記挟持片が常時閉じる力を付勢するように、上記弾性部材を上記挟持部材に取り付けることを特徴とする洗濯ばさみ。
【請求項３】
弾性部材は、略Ｃ字状の弾性体である請求項１又は２に記載の洗濯ばさみ。
【発明の詳細な説明】
【０００１】
【発明の属する技術分野】
本発明は、洗濯ばさみに関するものである。
【０００２】
【従来の技術】
従来より、洗濯ばさみは、図１に示すように、支点１で互いに結合した一対の挟持部材２，３が、支点１より一方向に延出する挟持片４，５と他方向に延出する把持片６，７とよりなり、上記一対の挟持部材２，３に上記挟持片４，５が常時閉じるような力を付勢する略Ｃ字状弾性部材８が取り付けられ、挟持片４，５により洗濯物を挟持するようになっている。
【０００３】
その際、弾性部材の取り付けは、弾性部材８の端部９，１０を一対の挟持部材２，３の外面に設けた穴１１，１２に嵌合させることにより行なっているのが一般的である。
【０００４】
又、挟持部材２，３は、Ｘ−Ｘ’で示す仮想線に対し対称になっているのが一般的である。
【０００５】
【発明が解決しようとする課題】
従来の洗濯ばさみは、略Ｃ字状弾性部材の端部を挟持片へ取り付けるに際し、同端部を挟持片に一箇所で嵌合又は固定などして取付けている。
【０００６】
一般に、洗濯ばさみの挟持片の開放には把持片への一定の力の付与が必要であり、指先の力の弱い高齢者又はリウマチ患者等は、把持片への強い力の付与が困難で洗濯ばさみの利用に何かと不都合を感じていた。
【０００７】
本発明は、上記のような課題を解決しようとするものであり、指先の力の弱い人でも楽に使える洗濯ばさみを提供する。
【０００８】
【課題を解決するための手段】
本発明の請求項１の発明は、支点で互いに結合した一対の挟持部材が、それぞれ支点より一方向に延出する挟持片と他方向に延出する把持片とよりなり、上記挟持片が常時閉じる力を付勢する弾性部材を上記一対の挟持部材に取り付けるに際し、その取り付け位置を選択的に変更し得るようにしたことを特徴とする洗濯ばさみを提供する。
【０００９】
弾性部材の挟持部材への取り付け位置を変更することにより、後述するように洗濯物等を挟む力（以下、挟持力という）をさほど減少させずに、挟持片開放のため把持片に与える力（以下、把持力という）を小さくするように加減出来る利点がある。
【００１０】
請求項２の発明は、支点で互いに結合した一対の挟持部材が、それぞれ支点より一方向に延出する挟持片と他方向に延出する把持片とよりなり、上記一対の挟持部材の外面にそれぞれ複数個の穴を設け、弾性部材の両端部をそれぞれ上記複数個の穴のいずれかに嵌合させて、上記挟持片が常時閉じる力を付勢するように、上記弾性部材を上記挟持部材に取り付けることを特徴とする洗濯ばさみを提供する。
【００１１】
弾性部材の挟持部材への取り付け位置の変更を、洗濯ばさみの製造上はコスト高にならず、使用者は簡便に為し得るように、この発明では一対の挟持部材の外面にそれぞれ複数個の穴を設けることを特徴とする。複数個の穴は挟持部材の製造時に一体成型にて同時に作れるが、本発明は必ずしも一体成型に限るものではないことは勿論である。
【００１２】
請求項３の発明は、請求項１又は請求項２の発明における弾性部材を丸環の一部を切欠した略Ｃ字状の弾性体を採用するもので、最も実際的な形態である。
【００１３】
【発明の実施の形態】
具体的な実施例の説明に先立ち、洗濯ばさみの力学的な考察結果を説明する。
【００１４】
図２は、洗濯ばさみを構成する一対の挟持部材のうち、その片方を模式的に示したものである。図２において、Ｋ１、Ｋ２、Ｋ３は、挟持片端がそれぞれ閉、中間、及び開の位置（挟持片端開度）を示している。Ａ１、Ａ２、Ａ３は弾性部材の取り付け位置を、Ｆ１、Ｆ２、Ｆ３は把持片端の位置をそれぞれ示したものである。また曲線ｋ，ａ，ｆは挟持片端、弾性部材取り付け位置、及び把持片端がそれぞれ支点Ｏを中心として描く軌跡を示している。図３は、弾性部材取り付け位置が図２とは異なった場合を示しており、Ｂ１、Ｂ２、Ｂ３は弾性部材の取り付け位置を示している。
【００１５】
以下、Ｋ１、Ｋ２、Ｋ３並びにＡ１、Ａ２、Ａ３及びＢ１、Ｂ２、Ｂ３を総称して述べる場合は、それぞれＫ、Ａ、Ｂと云う場合がある。
【００１６】
図４は、洗濯ばさみが作用するときに機能する各種のモーメントについて説明するための図である。図２、図３、図４において、支点Ｏから弾性部材取り付け位置ＡあるいはＢ、及び挟持片端Ｋまでの距離をそれぞれＬ１、Ｌ２、また把持片端Ｆまでの距離をＬ３とした時、弾性部材による付勢力Ｐ１、挟持片端における挟持力Ｐ２、および把持片端における把持力Ｐ３はそれぞれ次式で求めることが出来る。
【００１７】
Ｐ＝ｋ（Ｃ−ｄ）　　　　　　　　（１）
Ｐ２＝（Ｌ１／Ｌ２）Ｐ１　　　　（２）
Ｐ３＝（Ｌ１／Ｌ３）Ｐ１　　　　（３）
但し
Ｌ１＝ｒ　ｃｏｓθ
Ｃ＝ｒ　ｓｉｎθ
ｋは弾性部材のバネ常数
ｄは無負荷の状態における弾性部材開放端の間隔
ｒは支点Ｏと弾性部材の取り付け点までの距離
θは支点Ｏと弾性部材の取り付け点を結ぶ線の水平線に対する角度
そこで市販されている洗濯ばさみの一種類について上の式を用いて計算した。ただし、各部分の実測寸法、並びに設定条件は下記の値である。
【００１８】
Ｌ２＝２３．１ｍｍ
Ｌ３＝３２．４ｍｍ
ｋ＝０．２８　（弾性部材のバネ常数）
ｄ＝２．５ｍｍ（無負荷の状態で測定した弾性部材開放端の間隔）
θ＝２２°〜５６°（弾性部材取り付け位置がＡの場合）
ｒ＝１５．７　　　（弾性部材取り付け位置がＡの場合）
θ＝３８°〜７２．３°（弾性部材取り付け位置がＢの場合）
ｒ＝１２　　　　　　　（弾性部材取り付け位置がＢの場合）
図５は、上述の式（１）、（２）、（３）より算出した値を、横軸に挟持片端開度を、縦軸にモーメントをとり、グラフ化したものである。図５においてＭ１、Ｍ２はそれぞれ弾性部材取り付け位置Ａの場合の挟持力Ｐ２、把持力Ｐ３を示す。又Ｍ３、Ｍ４はそれぞれ弾性部材取り付け位置Ｂの場合の挟持力Ｐ２、把持力Ｐ３を示す。
【００１９】
図５等より、結論としていえることは、以下の通りである。
▲１▼　挟持片端開度が０の時は、弾性部材取り付け位置がＡ，Ｂいずれであっても、挟持力Ｐ２は殆ど変わらない。
▲２▼　弾性部材取り付け位置がＡ（従来の洗濯ばさみの位置に相当する。）では、挟持片端開度が増加すると、挟持力Ｐ２と把持力Ｐ３はともに急激に増加する。この事は洗濯物をはさむ力も増すが、同時に洗濯ばさみを操作する力が急増して、指への負担が増す。
▲３▼　弾性部材の取り付け位置をＢにすると、挟持片端が７ｍｍまで開いても、挟持力と把持力ともにほとんど変化せず、それ以上では把持力は減少するので操作は軽くなる。
▲４▼　以上のことから、弾性部材取り付け位置をＡからＢに変更することによって、挟持片端を閉じたときの挟持力は同じで（洗濯物を保持する力は変わらずに）、把持力はＡの場合に比べて最大で約６５％減少させることが可能である。
【００２０】
以上の説明より、弾性部材を挟持部材に取り付けるに際し、その取り付け位置により挟持力及び把持力を調整しうることが判る。
【００２１】
本発明は以上のような考察、実験に基づきなされたものであり、以下一実施例について説明する。
【００２２】
【実施例】
図６は、本発明の一実施例における洗濯ばさみの斜視図である。
【００２３】
この洗濯ばさみは、一対の挟持部材２２，２３が支点２１で互いに結合され、挟持部材２２，２３はそれぞれ支点２１より一方向に延出する挟持片２４，２５と他方向に延出する把持片２６，２７とよりなる。
【００２４】
更に、上記挟持片２４，２５が常時閉じる如き力を付勢する略Ｃ字状弾性部材２８の両端部が、上記挟持部材２２，２３に取り付けられる。
【００２５】
本実施例では、上記挟持部材２２，２３の外面にそれぞれ３つの穴２９，３０，３１が設けられており、弾性部材２８の端部３２は穴３０に嵌合させ、又他方の端部は図示は省略されているが、同様に挟持部材２３に設けられた穴に嵌合させて、弾性部材２８を挟持部材２２，２３に取り付けている。
【００２６】
先の説明より判るように、穴３１に端部３２を移動させて嵌合取り付けを行なえば、図５においてＭ１，Ｍ２の状態からＭ３，Ｍ４の状態に変ったことに相当し、全体として挟持力の低下はややあるが、把持力を随分と小さくすることが出来る。このようにすれば、例えば高齢者、リウマチ患者等指の力の弱い人が使用する場合などに適している。
【００２７】
又、穴３１よりもさらに支点２１に近い位置に穴（図示せず）を設けて、弾性部材をそこに取り付ければ、挟持片が一旦、一定間隔に開くと、それ以降は把持片に力を加えなくても挟持片が開いた状態を維持する。その場合は、挟持物を挟みこんだ後、挟持片を挟むように付勢して始めて挟持片が閉じられる。このようにすると、片手しか使えない人にとっても洗濯ばさみの使用が容易となるなどの利点がある。
【００２８】
弾性部材２８の取り付け位置の移動はペンチ等の金具等があれば簡単になしうる。
【００２９】
又、本実施例の洗濯ばさみは、従来の洗濯ばさみと同じ工程にて製造しうるものでコスト高となることはない。
【００３０】
【発明の効果】
以上の説明より判るとおり、本発明は挟持力をさほど減少させずに必要とする把持力を小さくしうるように加減できる洗濯ばさみを提供する。
【図面の簡単な説明】
【図１】従来の洗濯ばさみの一部切欠平面図である。
【図２】本発明の原理を説明するための図で、洗濯ばさみを構成する一対の挟持部材のうち、その片方を模式的に示した図である。
【図３】図２と同様な図であるが、弾性部材の取り付け位置が図２と異なった場合を示している。
【図４】洗濯ばさみが作用するときに機能する各種のモーメントについて説明するための図である。
【図５】挟持片端の開度と挟持力及び把持力の関係を例示した図である。
【図６】本発明の一実施例における洗濯ばさみの斜視図である。
【符号の説明】
２１　　　　　　　　支点
２２，２３　　　　　挟持部材
２４，２５　　　　　挟持片
２６，２７　　　　　把持片
２８　　　　　　　　略Ｃ字状弾性部材
２９，３０，３１　　穴
３２　　　　　　　　端部
【図１】
2004081545.tif 000003
【図２】
2004081545.tif 000004
【図３】
2004081545.tif 000005
【図４】
2004081545.tif 000006
【図５】
2004081545.tif 000007
【図６】
2004081545.tif 000008